(57)【要約】【課題】構成が簡単で、コードの巻取り作業及び巻き解き作業が容易なコード巻取り装置を提供する。【解決手段】コード巻取り装置１は、左手（一方の手）ＨＬの第１の指（親指）Ｆ１、第２の指（人差指）Ｆ２が挿入される第１，第２の指挿入部Ｒ１，Ｒ２を有するフレーム（第１，第２の挟持部材）１０，２０と、フレーム１０，２０を開閉自在に連結する連結部３０と、フレーム１０，２０一方に設けられて、他方に係合することにより、フレーム１０，２０を２つ折りの閉鎖状態に維持する係止部４０とを備える。【選択図】図５
2017028579.tif 000002
【特許請求の範囲】
【請求項１】
一方の手の第１の指が挿入される第１の指挿入部を有する第１の挟持部材と、
前記一方の手の第２の指が挿入される第２の指挿入部を有する第２の挟持部材と、
前記第１，第２の挟持部材を開閉自在に連結する連結部と、
前記第１，第２の挟持部材の一方に設けられて、他方に係合することにより、前記第１，第２の挟持部材を２つ折りの閉鎖状態に維持する係止部と、を備え、
前記第１，第２の挟持部材は、
開放状態において、前記第１，第２の指挿入部に挿入された前記第１，第２の指に、他方の手で８の字状に巻き付けられるコードをガイドし、
前記第１，第２の指を狭めて８の字状の前記コードの交差部を押さえた状態で、他方の手によって前記連結部で２つ折りされることにより、８の字状の前記コードを前記交差部から２つ折りにし、
前記他方の手で前記係止部を前記他方に係合させるとともに、前記第１，第２の指を前記第１，第２の指挿入部から抜くことにより、前記コードを前記交差部から２つ折りにして重ね合わせた状態で挟持する、
ことを特徴とするコード巻取り装置。
【請求項２】
前記第１，第２の挟持部材のうちの少なくとも一方は、前記コードに取り付けるための取付部を有する、
ことを特徴とする請求項１に記載のコード巻取り装置。
【請求項３】
前記第１，第２の挟持部材のうちの少なくとも一方は、前記コードと一体に構成されている、
ことを特徴とする請求項１に記載のコード巻取り装置。
【請求項４】
連結部によって開閉自在に連結されるとともに、係止部によって２つ折り状態で閉鎖される第１，第２の挟持部材を備えたコード巻取り装置を使用したコード巻取り方法において、
開放状態の前記第１の挟持部材の第１の指挿入部に一方の手の第１の指を挿入し、前記第２の挟持部材の第２の指挿入部に前記一方の手の第２の指を挿入する指挿入工程と、
挿入した前記第１，第２の指に他方の手でコードを８の字状に巻き付ける巻付け工程と、
８の字状に巻かれた前記コードの交差部を前記第１，第２の指で押さえる押さえ工程と、
前記他方の手で前記第１，第２の挟持部材を２つ折りに閉鎖することにより、８の字状の前記コードを前記交差部から２つ折りにして重ねる折り工程と、
前記係止部を係合させて、前記第１，第２の挟持部材の２つ折りの閉鎖状態を維持して、前記コードを挟持する挟持工程と、
前記第１，第２の指挿入部から前記第１，第２の指を引き抜く指引抜き工程と、を有する、
ことを特徴とするコード巻取り方法。
【発明の詳細な説明】
【技術分野】
【０００１】
本発明は、イヤホンコード等のコードを巻き取るためのコード巻取り装置、及びコード巻取り方法に関する。
【背景技術】
【０００２】
携帯電話や携帯オーディオプレーヤー等の機器に使用するイヤホンコードは、不使用時には、一般に、束ねることなくそのまま、あるいは、簡単に束ねたり、あるいは機器本体に巻き付けたりして機器本体とともに、衣服のポケット、鞄、バッグ等に収納される。
【０００３】
こうして収納されたイヤホンコードは、機器を使用すべく、ポケット等から取り出した際に、絡まったりよれたりするため、解いてきちんと延ばすのに手間がかかるという問題があった。
【０００４】
特許文献１には、このような不具合を解消したイヤホンコード巻き付け収納装置が提案されている。
【０００５】
この収納装置は、面状ファスナ等の着脱手段が設けられた軟質シートと、その内面に取り付けられた巻付け部（一対のリールやクランク状体）とを備えている。イヤホンコードを収納する際には、着脱手段を外して軟質シートを開き、巻付け部にイヤホンコードをぐるぐると巻き付ける。その後、着脱手段を閉じて軟質シートを２つ折りあるいは筒状とすることにより、イヤホンコードを軟質シートの内側に収納する。これにより、イヤホンコードの絡まりや損傷の防止を図っている。
【先行技術文献】
【特許文献】
【０００６】
【特許文献１】特許第４７０５１８７号
【発明の概要】
【発明が解決しようとする課題】
【０００７】
しかしながら、上述の収納装置は、イヤホンコードの絡まりや損傷は防止できるものの、以下のような問題点があった。
【０００８】
（１）イヤホンコードを巻き付けるための巻付け部が必要であり、その分、構成が複雑になる、
（２）巻付け部が比較的小さいため（後述する、本発明における親指や人差指と比較して）、イヤホンコードの巻付け作業が行いにくく、また、巻付け作業中にイヤホンコードが巻付け部から外れやすい、
（３）巻付け部に対するイヤホンコードの巻付け方向（例えば、右巻き）が同じであるため、イヤホンコードに捩じれが生じて癖が付き、巻解き後に絡みやすくなり、また、断線の原因になる、
（４）巻解き作業は、基本的には１巻き（１周回）ずつ巻付け部から外す作業となるため、煩雑で時間がかかる、
といった問題である。
【０００９】
なお、以上の問題は、イヤホンコードに限らず、比較的細い、一般的なコードについてもあてはまる問題である。
【００１０】
本発明は、上述した事情に鑑みてなされたものであり、上述の問題点を解消あるは低減することができるコード巻取り装置及びコード巻取り方法、すなわち、
（１ａ）巻付け部が不要で、コンパクトな構成である、
（２ａ）巻付け作業がやりやすく、かつ巻付け作業中にコードが外れにくく、さらに巻付け後もコード束が安定的に保持される、
（３ａ）コードに捩じれが発生することを防止して、絡みや断線を防止あるいは抑制できる、
（４ａ）巻解き作業が簡単で、短時間で行い得る、
コード巻取り装置及びコード巻取り方法を提供することを目的とするものである。
【課題を解決するための手段】
【００１１】
請求項１に係る発明は、コード巻取り装置において、一方の手の第１の指（例えば、親指）が挿入される第１の指挿入部を有する第１の挟持部材と、前記一方の手の第２の指（例えば、人差指）が挿入される第２の指挿入部を有する第２の挟持部材と、前記第１，第２の挟持部材を開閉自在に連結する連結部と、前記第１，第２の挟持部材の一方に設けられて、他方に係合することにより、前記第１，第２の挟持部材を２つ折りの閉鎖状態に維持する係止部と、を備え、前記第１，第２の挟持部材は、開放状態において、前記第１，第２の指挿入部に挿入された前記第１，第２の指に、他方の手で８の字状に巻き付けられるコードをガイドし、前記第１，第２の指を狭めて８の字状の前記コードの交差部を押さえた状態で、他方の手によって前記連結部で２つ折りされることにより、８の字状の前記コードを前記交差部から２つ折りにし、前記他方の手で前記係止部を前記他方に係合させるとともに、前記第１，第２の指を前記第１，第２の指挿入部から抜くことにより、前記コードを前記交差部から２つ折りにして重ね合わせた状態で挟持する、ことを特徴とする。
【００１２】
請求項２に係る発明は、請求項１に係るコード巻取り装置において、前記第１，第２の挟持部材のうちの少なくとも一方は、前記コードに取り付けるための取付部を有する、ことを特徴とする。
【００１３】
請求項３に係る発明は、請求項１に係るコード巻取り装置において、前記第１，第２の挟持部材のうちの少なくとも一方は、前記コードと一体に構成されている、ことを特徴とする。
【００１４】
請求項４に係る発明は、連結部によって開閉自在に連結されるとともに、係止部によって２つ折り状態で閉鎖される第１，第２の挟持部材を備えたコード巻取り装置を使用したコード巻取り方法において、開放状態の前記第１の挟持部材の第１の指挿入部に一方の手の第１の指を挿入し、前記第２の挟持部材の第２の指挿入部に前記一方の手の第２の指を挿入する指挿入工程と、挿入した前記第１，第２の指に他方の手でコードを８の字状に巻き付ける巻付け工程と、８の字状に巻かれた前記コードの交差部を前記第１，第２の指で押さえる押さえ工程と、前記他方の手で前記第１，第２の挟持部材を２つ折りに閉鎖することにより、８の字状の前記コードを前記交差部から２つ折りにして重ねる折り工程と、前記係止部を係合させて、前記第１，第２の挟持部材の２つ折りの閉鎖状態を維持して、前記コードを挟持する挟持工程と、前記第１，第２の指挿入部から前記第１，第２の指を引き抜く指引抜き工程と、を有する、ことを特徴とする。
【発明の効果】
【００１５】
請求項１の発明によれば、コード巻取り装置は、一方の手の第１の指が挿入される第１の指挿入部を有する第１の挟持部材と、一方の手の第２の指が挿入される第２の指挿入部を有する第２の挟持部材と、第１，第２の挟持部材を開閉自在に連結する連結部と、第１，第２の挟持部材の一方に設けられて、他方に係合することにより、第１，第２の挟持部材を２つ折りの閉鎖状態に維持する係止部と、を備えている。
【００１６】
そして、第１，第２の挟持部材は、開放状態において、第１，第２の指挿入部に挿入された第１，第２の指に、他方の手で８の字状に巻き付けられるコードをガイドし、第１，第２の指を狭めて８の字状のコードの交差部を押さえた状態で、他方の手によって連結部で２つ折りされることにより、８の字状のコードを交差部から２つ折りにし、他方の手で係止部を他方に係合させるとともに、第１，第２の指を第１，第２の指挿入部から抜くことにより、コードを交差部から２つ折りにして重ね合わせた状態で挟持する。
【００１７】
請求項１のコード巻取り装置は、以下のような効果を奏する。
【００１８】
（１ａ）一方の手の第１，第２の指が巻付け部（従来例のリール等）の代わりとなるので、巻付け部が不要なコンパクトな構成とすることができる。
【００１９】
（２ａ）第１，第２の指及び両指間の間隔によって構成される空間は、前述の従来技術の巻付け部よりも大きいと推察され、さらに、他方の手の巻付け動作に連動させて、適宜に動かすことが可能であるため、８の字状の巻付け動作が容易で、かつ、一旦、巻き付けたコードが外れにくい。また、８の字状の巻付け時に、開放状態の第１，第２の挟持部材がガイドとなるため、巻付け動作を円滑に行うことができ、８の字も一定の大きさ、形状で巻き上げることができるとともに、巻付け後のコードが、指の付け根側に不要に移動するのを阻止することができる。
【００２０】
（３ａ）従来と同様に、コードを一方向にぐるぐると巻き付ける場合には、コードは、各巻付けの周回ごとに捩じれが発生するため、コードの絡みや断線の原因となる。これに対し、コードを８の字状に巻き付ける場合には、８の字を１巻き（１周回）とすると、コードは半巻きごとに逆向きに捩じれて１巻き単位で捩じれが解消されるため、コードの絡みや断線を防止することができる。
【００２１】
（４ａ）コードを巻き解く際には、従来とは異なり、巻取り部に相当するものがないため、１周回分ずつ巻き解く動作が不要で、簡単に巻き解くことができる。しかも、巻き付けられたコードの８の字状の交差部は、コードの上下関係（巻き動作の先後関係）が守られており、かつ、（３ａ）で説明したように、コードは８の字の１巻き分で捩じれが解消されて、真っ直ぐに延びようとする復元力が作用するため、コードの絡まりを防止しつつ、簡単な短時間の作業でコードの巻解きを行うことができる。
【００２２】
請求項１のコード巻取り装置によれば、以上のような効果を奏する。
【００２３】
請求項２の発明によれば、取付部によって、コード巻取り装置をコードに取り付けることができる。つまり、
（５ａ）コード巻取り装置を常時、コードと一体にしておくことができる、
という効果がある。
【００２４】
請求項３の発明によれば、
（６ａ）第１，第２の挟持部材のうちの少なくとも一方がコードと一体に構成されている場合には、コード巻取り装置がコードから外れるおそれがない、
という効果がある。
【００２５】
請求項４のコード巻取り方法は、指挿入工程、巻付け工程、押さえ工程、折り工程、挟持工程、及び指引抜き工程を有していて、請求項１と同様の効果を奏することができる。
【図面の簡単な説明】
【００２６】
【図１】図１〜図９は実施形態１のコード巻取り装置１を説明する図であり、図１はフレーム（第１の挟持部材）１０、フレーム（第２の挟持部材）２０が開放された開放状態（開放位置）Ｐ１のコード巻取り装置１を説明する斜視図である。
【図２】コード巻取り装置１の分解斜視図である。
【図３】コード巻取り装置１にコードＣを取り付けた状態を説明する斜視図である。
【図４】コードＣの巻き始めを説明する斜視図である。
【図５】コードＣの巻き終わりを説明する斜視図である。
【図６】コードＣの８の字状の交差部Ｔ３を親指Ｆ１と人差指Ｆ２とで押さえた状態を説明する斜視図である。
【図７】フレーム１０，２０が２つ折りに畳まれた閉鎖状態（閉鎖位置）Ｐ２のコード巻取り装置１を説明する正面図である。
【図８】フレーム１０，２０が２つ折りに畳まれた閉鎖状態（閉鎖位置）Ｐ２を説明する側面図である。
【図９】コード巻取り方法の工程を説明する図である。
【図１０】実施形態２の、フレーム（第１の挟持部材）１０Ａ、フレーム（第２の挟持部材）２０Ａが開放された開放状態（開放位置）Ｐ１のコード巻取り装置２を説明する斜視図である。
【図１１】実施形態３の、フレーム（第１の挟持部材）１０Ｂ、フレーム（第２の挟持部材）２０Ｂが開放された開放状態（開放位置）Ｐ１のコード巻取り装置３を説明する斜視図である。
【発明を実施するための形態】
【００２７】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００２８】
＜実施形態１＞
図１〜図９を参照して本発明を適用した実施形態１に係るコード巻取り装置１について説明する。
【００２９】
図１〜図９のうち、図１は、フレーム（第１の挟持部材）１０、フレーム（第２の挟持部材）２０が開放された開放状態（開放位置）Ｐ１のコード巻取り装置１を説明する斜視図である。また、図２は、コード巻取り装置１の分解斜視図である。
【００３０】
なお、以下の説明では、巻取り対象となるコードＣが、例えば、スマートフォンＳ（図４〜図６参照）に使用されるイヤホンコードである場合を例に説明するが、これに限定されるものではない。このコードＣが、イヤホンコードの場合、中間部から二股に分かれた紐状のコード本体Ｃａと、このコード本体Ｃａの二股側の端部にそれぞれ設けられた２個のイヤホンＣｂと、他方の端部に設けられて、スマートフォンＳのジャック（不図示）に挿脱されるプラグＣｃとを有している。なお、以下では、特にコードＣとコード本体Ｃａとを区別する必要がない場合には、適宜、コードＣという。
【００３１】
また、以下では、第１の指が親指Ｆ１であり、第２の指が人差指Ｆ２である場合を例に説明するが、これに限定されるものではない。
【００３２】
コード巻取り装置１は、図１、図２に示すように、第１の挟持部材としてのフレーム１０、第２の挟持部材としてのフレーム２０、連結部３０、及び係止部４０を備えている。これらフレーム１０〜係止部４０は、例えば、プラスチック（合成樹脂）や金属などにより、適度に弾性を有するように形成されている。
【００３３】
このうち、フレーム（第１の挟持部材）１０は、ほぼ長方形の額縁状に形成されている。フレーム１０は、相互に対向する基端部１１と先端部１２とが短辺を構成し、また、相互に対向する２つの側端部１３，１４が長辺を構成している。これら基端部１１、先端部１２、及び側端部１３，１４における、長手方向に直交する断面形状は、ほぼ方形となっている。なお、フレーム１０の形状は、長方形に限らず、例えば、楕円状や陸上競技のトラック形状等であってもよい。
【００３４】
フレーム１０の内側は、第１の指挿入部Ｒ１となっている。第１の指挿入部Ｒ１は、親指Ｆ１（図４参照）を挿入することができ、また、挿入した親指Ｆ１を側端部１３，１４に沿って移動させることができる空間である。指挿入部Ｒ１は、フレーム１０の内側に形成された長方形状の空間であり、その幅寸法（基端部１１及び先端部１２に沿った長さ）は、親指Ｆ１の太さよりも少し広くなっている。一方、第１の指挿入部Ｒ１の長さ寸法（側端部１３，１４に沿った長さ）は、図４に示すように、開放状態Ｐ１のフレーム１０，２０の第１，第２の指挿入部Ｒ１，Ｒ２にそれぞれ親指Ｆ１、人差指Ｆ２を挿入してこれらの指を広げた際の、両指の先端間の距離のほぼ半分よりも少し短く設定されている。
【００３５】
側端部１３，１４の外側には、それぞれ２箇所、合計で４箇所に取付部１７が設けてある。これら取付部１７は、コードＣを係合させるものである。なお、取付部１７の数は、１箇所以上あれば何箇所でもよいが、先端部１２に一番近い取付部１７の位置に注意が必要である。すなわち、親指Ｆ１、人差指Ｆ２に巻付けたコードＣを、親指Ｆ１を側端部１３，１４に沿って交差部Ｔ３まで移動して交差部Ｔ３にて押えるにあたり、巻き付けたコードＣが交差部Ｔ３方向に束となって移動できるようにするために、先端部１２に一番近い取付部１７の位置は、交差部Ｔ３にて押えてできた８の字状のコードＣの円周とフレーム１０との交点上あるいは交点に近い位置に置く必要がある（図６参照）。
【００３６】
ここで、２本の側端部１３，１４に平行で、これらから等距離にある直線を中心線Ｍとすると、フレーム１０全体は、この中心線Ｍを通って基端部１１及び先端部１２に直交する平面（不図示）を基準として面対称となっている。
【００３７】
本実施形態においては、フレーム（第２の挟持部材）２０は、上述のフレーム（第１の挟持部材）１０と同様に形成されている。
【００３８】
すなわち、フレーム（第２の挟持部材）２０は、ほぼ長方形の額縁状に形成されている。フレーム２０は、相互に対向する基端部２１と先端部２２とが短辺を構成し、また、相互に対向する２つの側端部２３，２４が長辺を構成している。これら基端部２１、先端部２２、及び側端部２３，２４における、長手方向に直交する断面形状は、ほぼ方形となっている。なお、フレーム２０の形状は、長方形に限らず、例えば、楕円状や陸上競技のトラック形状等であってもよい。
【００３９】
フレーム２０の内側は、指挿入部（第２の指挿入部）Ｒ２となっている。指挿入部Ｒ２は、人差指Ｆ２（図４参照）を挿入することができ、また、挿入した人差指Ｆ２を側端部２３，２４に沿って移動させることができる空間である。指挿入部Ｒ２は、フレーム２０の内側に形成された長方形状の空間であり、その幅寸法（基端部２１及び先端部２２に沿った長さ）は、人差指Ｆ２の太さよりも少し広くなっている。一方、指挿入部Ｒ２の長さ寸法（側端部２３，２４に沿った長さ）は、図４に示すように、開放状態Ｐ１のフレーム１０，２０の第１，第２の指挿入部Ｒ１，Ｒ２にそれぞれ親指Ｆ１、人差指Ｆ２を挿入してこれらの指を広げた際の、両指の先端間の距離のほぼ半分よりも少し短く設定されている。
【００４０】
側端部２３，２４の外側には、それぞれ２箇所、合計で４箇所に取付部２７が設けてある。これら取付部２７は、コードＣを係合させるものである。なお、取付部２７の数は、１箇所以上あれば何箇所でもよいが、先端部２２に一番近い取付部２７の位置に注意が必要である。すなわち、親指Ｆ１、人差指Ｆ２に巻付けたコードＣを、人差指Ｆ２を側端部２３，２４に沿って交差部Ｔ３まで移動して交差部Ｔ３にて押えるにあたり、巻き付けたコードＣが交差部Ｔ３方向に束となって移動できるようにするために、先端部２２に一番近い取付部２７の位置は、交差部Ｔ３にて押えてできた８の字状のコードＣの円周とフレーム２０との交点上あるいは交点に近い位置に置く必要がある（図６参照）。
【００４１】
ここで、フレーム２０全体は、上述の中心線Ｍを通って基端部２１及び先端部２２に直交する平面（不図示）を基準として面対称となっている。
【００４２】
以上のように、本実施形態においては、フレーム２０は、上述のフレーム１０と同様に形成されている。
【００４３】
なお、上述のフレーム１０の取付部１７を省略して、フレーム１０とコード本体Ｃａとを一体に成形してもよい。あるいは、上述のフレーム２０の取付部２７を省略して、フレーム２０とコード本体Ｃａとを一体に成形してもよい。この場合には、コード巻取り装置１がコード本体Ｃａから外れることがない。
【００４４】
連結部３０は、フレーム１０，２０を開閉可能（開閉自在）に連結している。なお、本実施形態では、連結部３０は、フレーム１０，２０とは別な部材として構成されている。
【００４５】
連結部３０は、図１中の矢印Ａ方向から見た形状が「Ｃ」字形に形成されていて、長さは、基端部１１，２１の長さよりも少し短く形成されている。連結部３０は、屈曲部３１，３２を有している。屈曲部３１，３２は、その内側でフレーム１０，２０の基端部１１，２１を回転可能に支持することにより、フレーム１０，２０全体を揺動可能に支持している。連結部３０によって揺動可能に支持されたフレーム１０，２０は、図１に示す、開放された開放状態（開放位置）Ｐ１と、図７及び図８に示す、２つ折りに畳まれた閉鎖状態（閉鎖位置）Ｐ２とをとることができる。なお、上述では、連結部３０の形状が「Ｃ」字形である場合を説明したが、これに限らず、「Ｓ」字形や「ロ」字形であってもよい。
【００４６】
なお、図８に示すように、連結部３０は、複数回巻かれて厚くなったコード本体Ｃａを安定して挟持すべく、閉鎖状態Ｐ２のフレーム１０，２０の基端部１１，２１が多少、離間するようになっている。
【００４７】
係止部４０は、フレーム１０，２０の閉鎖状態Ｐ２を維持し、または、開放を可能とする。なお、本実施形態では、係止部４０は、フレーム１０，２０とは別な部材として構成されている。
【００４８】
係止部４０は、図１中の矢印Ｂ方向から見た形状が「Ｓ」字形に形成されている。係止部４０は、切欠環状部４１，４２を有している。図示例では、係止部４０は、一方の切欠環状部４２がフレーム２０の先端部２２に係合されていて、他方の切欠環状部４１が、図７、図８に示す閉鎖状態Ｐ２のフレーム１０の先端部１２に係脱されるようになっている。なお、上述では、係止部４０の形状が「Ｓ」字形である場合を説明したが、これに限らず、「Ｃ」字形であってもよい。
【００４９】
次に、図３〜図９を参照して、コード巻取り装置１の動作を含む、コード巻取り方法について説明する。
【００５０】
ここで、図３は、コード巻取り装置１にコードＣを取り付けた状態を説明する斜視図である。また、図４は、コードＣの巻き始めを説明する斜視図である。また、図５は、コードＣの巻き終わりを説明する斜視図である。また、図６は、コードＣの８の字状の交差部Ｔ３を親指Ｆ１と人差指Ｆ２とで押さえた状態を説明する斜視図である。また、図７は、フレーム１０，２０が２つ折りに畳まれた閉鎖状態（閉鎖位置）Ｐ２のコード巻取り装置１を説明する正面図である。また、図８は、フレーム１０，２０が２つ折りに畳まれた閉鎖状態（閉鎖位置）Ｐ２を説明する側面図である。また、図９は、コード巻取り方法の工程を説明する図である。
【００５１】
コード巻取り方法は、以下の１〜６のステップ（工程）、すなわち、
１  指挿入工程Ｓ１
２  巻付け工程Ｓ２
３  押さえ工程Ｓ３
４  折り工程Ｓ４
５  挟持工程Ｓ５
６  指引抜き工程Ｓ６
を有している。以下、この順に説明する。
【００５２】
なお、以下では、スマートフォンＳで使用されていたコードＣを巻き取る場合を例に説明する。このとき、コードＣは、プラグＣｃがスマートフォンＳのジャック（不図示）に挿入されて、コード本体Ｃａが引き延ばされ、さらに、図３に示すように、コード本体ＣａのプラグＣｃの近傍に、コード巻取り装置１が取付部１７，２７等を介して装着されているものとする。
【００５３】
指挿入工程Ｓ１は、図３に示す開放状態Ｐ１のフレーム１０，２０の第１，第２の指挿入部Ｒ１，Ｒ２にそれぞれ左手（一方の手）ＨＬの親指Ｆ１、人差指Ｆ２を挿入する工程である。
【００５４】
このとき、親指Ｆ１、人差指Ｆ２は、フレーム１０，２０の第１，第２の指挿入部Ｒ１，Ｒ２に、下側から上側に貫通するように挿入し、また、図４に示すように、スマートフォンＳを手の平と残りの３本の指（中指Ｆ３、薬指Ｆ４，及び小指Ｆ５）とによって保持する。
【００５５】
巻付け工程Ｓ２は、第１，第２の指挿入部Ｒ１，Ｒ２に挿入した親指Ｆ１、人差指Ｆ２に右手（他方の手）ＨＲでコードＣを８の字状に巻き付ける工程である。
【００５６】
このとき、図４に示すように、第１，第２の指挿入部Ｒ１，Ｒ２に挿入した親指Ｆ１、人差指Ｆ２の指先をフレーム１０，２０の各先端部内側にしっかり押し当てるまで広げるとよい。これにより、コードＣの巻付け作業が容易になり、８の字を安定した形状で巻付けることができ、さらに、巻き付けたコードＣが親指Ｆ１、人差指Ｆ２から外れにくくなる。また、このとき親指Ｆ１、人差指Ｆ２が挿通された、開放状態Ｐ１のフレーム１０，２０は、巻き付けられるコードＣのガイドとなって円滑な巻付け作業を助けるとともに、巻付け後のコードＣが親指Ｆ１、人差指Ｆ２の付け根側に不要にずれることを防止する。
【００５７】
この巻付け工程Ｓ２により、コードＣは、８の字状に何周にもわたって巻き付けられる。その結果、図５に示すように、親指Ｆ１側の涙形の周回部Ｔ１と、同じく人差指Ｆ２側の涙形の周回部Ｔ２と、これら周回部Ｔ１，Ｔ２の間の交差部Ｔ３とを有する８の字状部Ｔが構成される。
【００５８】
ここで、上述の交差部Ｔ３においては、コードＣの上下関係（先後関係）が守られる。つまり、先に巻かれたコードＣが下に位置し、次に巻かれたコードＣがその上に位置するといったように、次々と下から上へと整然として積み上げられる。このため、後述するように、巻き取られたコードＣを巻き解いて延ばす際に、コードＣの絡まりを抑制することができる。
【００５９】
押さえ工程Ｓ３は、８の字状部（コードＣにおける８の字状に巻かれた部分）Ｔの交差部Ｔ３を親指Ｆ１と人差指Ｆ２とで押さえる工程である。
【００６０】
図５に示すように、巻付け作業時には広げていた親指Ｆ１と人差指Ｆ２の指先を、巻付け作業終了後には、図６に示すように狭めて８の字状部Ｔの交差部Ｔ３を軽く押さえる。別な言い方をすれば、親指Ｆ１と人差指Ｆ２の指先を接触させて輪を作り、その輪の内側に交差部Ｔ３が入るようにする。指を広げた状態で巻上げられた８の字状部Ｔの周回部Ｔ１，Ｔ２を交差部Ｔ３方向に引き寄せるため、交差部Ｔ３にて押えられた周回部Ｔ１，Ｔ２は、涙形から円形状に変形するとともに、幅寸法（基端部１１に沿った長さ）が広がって、図６に示すようにフレーム１０，２０から幅方向にはみ出る。
【００６１】
折り工程Ｓ４は、右手（他方の手）ＨＲでフレーム１０，２０を２つ折りに閉鎖することにより、コードＣの８の字状部Ｔを交差部Ｔ３から２つ折りにして周回部Ｔ１，Ｔ２を重ね合わせる工程である。
【００６２】
フレーム１０，２０が２つ折りに折り畳まれて閉鎖状態Ｐ２となることにより、８の字状部Ｔは、交差部Ｔ３を基準として２つ折りにされて、周回部Ｔ１，Ｔ２が重ね合わされる。このとき、前の押さえ工程Ｓ３によって周回部Ｔ１、Ｔ２はフレーム１０，２０から幅方向にはみ出ているので、フレーム１０，２０を２つ折りにした際、コードＣを４点（４箇所）でしっかりと挟み込むことができる。すなわち、重ね合わされて１つの円形状となったコード束（周回部Ｔ１，Ｔ２）を、フレーム１０の側端部１３とフレーム２０の側端部２４との間、及びフレーム１０の側端部１４とフレーム２０の側端部２３とによって、４箇所で確実に挟み込むことができる。さらに、８の字状部Ｔの交差部Ｔ３が親指Ｆ１と人差指Ｆ２の指先で押さえられているため、８の字状部Ｔは、大きく型崩れすることなく、周回部Ｔ１，Ｔ２がほぼ円形状のコード束として重ね合わされる。
【００６３】
挟持工程Ｓ５は、係止部４０を係合させて、フレーム１０，２０の２つ折りの閉鎖状態Ｐ２を維持して、コードＣを挟持する工程である。
【００６４】
上述の折り工程Ｓ４に続く挟持工程Ｓ５では、フレーム２０の先端部２２に切欠環状部４２が係合されている係止部４０の切欠環状部４１を、フレーム１０の先端部１２に係合させることにより、フレーム１０，２０を２つ折りの閉鎖状態Ｐ２に維持する。これにより、８の字状部Ｔを交差部Ｔ３で２つ折りにして周回部Ｔ１，Ｔ２を重ね合わせた円形状のコート束の状態で、フレーム１０，２０の間で挟持し、その挟持状態を維持する。
【００６５】
なお、このとき、上述のようにフレーム１０，２０は、適宜な弾性を有しているので、重ね合わされた円形状のコード束を強すぎない力で、しかも型崩れすることなく確実に挟持することができる。
【００６６】
指抜き工程Ｓ６は、フレーム１０，２０の第１，第２の指挿入部Ｒ１，Ｒ２から親指Ｆ１、人差指Ｆ２を引き抜く工程である。
【００６７】
この指抜き工程Ｓ６の終了により、コード巻取り動作が終了する。
【００６８】
ここで、コード巻取り動作によって巻き取られたコードＣは、係止部４０の係合を解除し、イヤホンＣｂ側をもってコードＣを引っ張ることで、容易に巻き解くことができる。
【００６９】
８の字状部Ｔは、上述のように、８の字状の周回を複数回繰り返すことによって構成されている。この８の字状の１回の周回においては、親指Ｆ１側の周回方向と人差指Ｆ２側の周回方向とが逆方向となるため、８の字状の１回の周回、さらにはその複数の周回においては、コードＣに対して捩じる方向の力は作用しない。このため、８の字状部Ｔを上述のように、交差部Ｔ３で折り曲げて、周回部Ｔ１，Ｔ２を重ねて円形状のコート束の状態で、図７，図８に示すように、フレーム１０，２０で挟持した場合には、円形状のコード束を構成する周回部Ｔ１，Ｔ２には、元の８の字状部Ｔに戻ろうとする復元力が作用する。
【００７０】
したがって、係止部４０の切欠環状部４１の、フレーム１０の先端部１２に対する係合、または、切欠環状部４２の、フレーム２０の先端部２２に対する係合を解除すると、フレーム１０，２０は、特に積極的な開放動作を行うことなく、周回部Ｔ１，Ｔ２が８の字状部Ｔに戻ろうとする復元力によって開放される。この状態で、プラグＣｃ側を引っ張ると、コードＣは、上述のように、８の字状部Ｔの交差部Ｔ３において、上下関係（先後関係）がきちんと守られているため、絡みあうことなく簡単に引き延ばすことができる。
【００７１】
以下に、上述したコード巻取り装置１及びコード巻取り方法の効果を整理する。
【００７２】
（１ａ´）左手（一方の手）ＨＬの親指Ｆ１と人差指Ｆ２とが巻付け部（従来例のリール等）の代わりとなるので、巻付け部が不要なコンパクトな構成とすることができる。
【００７３】
（２ａ´）親指Ｆ１と人差指Ｆ２ならびに両指間の間隔で構成される空間は、従来の巻付け部よりも大きいと推察され、さらに、右手（他方の手）ＨＲの巻付け動作に連動させて、適宜に動かすことが可能であるため、８の字状の巻付け動作が容易で、かつ、一旦、巻き付けたコードが外れにくい。また、８の字状の巻付け時に、開放状態Ｐ１のフレーム（第１，第２の挟持部材）１０，２０がガイドとなるため、巻付け動作を円滑に行うことができ、８の字も一定の大きさ、形状で巻き上げることができるとともに、巻付け後のコードＣが、親指Ｆ１、人差指Ｆ２の付け根側に不要に移動するのを阻止することができる。
【００７４】
さらに、フレーム１０，２０を閉鎖状態Ｐ２として両者間に挟持した、コードＣを安定的に確実の保持することができる。
【００７５】
すなわち、開放状態Ｐ１のフレーム１０，２０の第１，第２の指挿入部Ｒ１，Ｒ２に挿入して指先を広げた親指Ｆ１，人差指Ｆ２に、コードＣを巻き付けて形成した８の字状部Ｔは、その縦寸法が、開放状態Ｐ１のコード巻取り装置１の全長（フレーム１０，２０のそれぞれの先端部１２，２２間の距離）にほぼ等しく、また、横寸法は、フレーム１０の側端部１３，１４間の距離、及びフレーム２０の側端部２３，２４間の距離とほぼ等しくなる。このため、親指Ｆ１と人差指Ｆ２を狭めて８の字状部Ｔの交差部Ｔ３を押さえて、フレーム１０，２０を２つ折りにして閉鎖状態Ｐ２にすると、８の字状部Ｔは、交差部Ｔ３から２つ折りされて、２つの周回部Ｔ１，Ｔ２が重ねられて円形状のコード束となる。この円形状のコード束は、縦寸法がフレーム１０の長さ寸法（側端縁１３，１４に沿った長さ）よりも短い。また、円形状のコード束の横寸法は、フレーム１０の幅寸法（側端縁１３，１４間の距離）よりも長い。つまり、２つの周回部Ｔ１，Ｔ２が重ねられた形成された円形状のコード束は、フレーム１０の長さ寸法よりも小さく、幅寸法よりも大きくなる。このため、円形状のコード束は、フレーム１０，２０によって、周方向に沿っての異なる４点で挟持されて、安定的に確実に保持されることになる。
【００７６】
さらに加えて、フレーム２０の先端部２２に取り付けられた係止部４０は、円形状のコード束の外側から、フレーム１０の先端部１２に係脱されるため、その係脱動作が、円形状のコード束によって邪魔されることがなく、円滑で確実な係脱動作及び係合状態の維持が可能となる。
【００７７】
（３ａ´）従来と同様に、コードＣを一方向にぐるぐると巻き付ける場合には、コードＣは、各巻付けの周回ごとに捩じれが発生するため、コードＣの絡みや断線の原因となる。これに対し、コードＣを８の字状に巻き付ける場合には、８の字を１巻き（１周回）分とすると、コードは半巻きごとに逆向きに捩じれて１巻き単位では捩じれが解消されるため、コードの絡みや断線を防止することができる。
【００７８】
（４ａ´）コードＣを巻き解く際には、従来とは異なり、巻取り部に相当するものがないため、１周回分ずつ巻き解く動作が不要で、簡単に巻き解くことができる。しかも、巻き付けられたコードの８の字状部Ｔの交差部Ｔ３は、コードＣの上下関係（巻き動作の先後関係）が厳密に守られており、かつ、（３ａ´）で説明したように、コードＣは８の字の１巻き分で捩じれが解消されて、真っ直ぐに延びようとする復元力が作用するため、コードＣの絡まりを防止しつつ、簡単な短時間の作業でコードＣの巻き解きを行うことができる。
【００７９】
（５ａ´）取付部１７，２７によって、コード巻取り装置１をコードＣに取り付けることができる。つまり、コード巻取り装置１を常時、コードＣと一体にしておくことができる。
【００８０】
（６ａ´）フレーム（第１，第２の挟持部材）１０，２０のうちの少なくとも一方がコードＣと一体に構成されている場合には、コード巻取り装置１がコードＣから外れるおそれがない。
【００８１】
＜実施形態２＞
図１０を参照して、本発明を適用した実施形態２に係るコード巻取り装置２について説明する。
【００８２】
ここで、図１０は、フレーム（第１の挟持部材）１０Ａ、フレーム（第２の挟持部材）２０Ａが開放された開放状態（開放位置）Ｐ１のコード巻取り装置２を説明する斜視図である。
【００８３】
コード巻取り装置２は、第１の挟持部材としてのフレーム１０Ａ、第２の挟持部材としてのフレーム２０Ａ、連結部３０Ａ、及び係止部４０Ａを備えている。
【００８４】
フレーム１０Ａ，１０Ｂは、図１に示す開放状態Ｐ１において、双方を合わせて「Ｓ」字形となるように形成されている。
【００８５】
フレーム１０Ａ，１０Ｂは、それぞれ半「Ｓ」字形に形成されていて、それぞれの基端部１１Ａ，２１Ａが、円筒状の連結部３０Ａによって、回転可能に支持されている。これにより、フレーム１０Ａ，２０Ａは、図１０に示す開放状態Ｐ１と、２つ折りに畳まれた閉鎖状態（実施形態１の図７、図８の閉鎖状態Ｐ２参照）とをとることができる。
【００８６】
フレーム１０Ａ，２０Ａの先端部１２Ａ，２２Ａ近傍の内側には、第１，第２の指挿入部Ｒ１，Ｒ２が設けられている。
【００８７】
なお、係止部４０Ａ、取付部１７Ａ，２７Ａについては、実施形態１のコード巻取り装置１の係止部４０、取付部１７，２７と同様であるので、説明は省略する。。
【００８８】
以上の構成のコード巻取り装置２の動作（コード巻取り方法）及び効果は、コード巻取り装置１とほぼ同様である。
【００８９】
本実施形態２のコード巻取り装置２のフレーム１０Ａ，２０Ａは、実施形態１のコード巻取り装置１のフレーム１０，２０と比較して、構成が簡単である。つまり、フレーム１０Ａ，２０Ａは、フレーム１０，２０の一部を割愛したものであるといえる。
【００９０】
なお、第１，第２の挟持部材としては、これらのフレーム１０，２０，１０Ａ，２０Ａに代えて、例えば、長板状の板状部材（不図示）に、指挿入部（指挿入孔）を設けたものであってもよい。ただし、この場合の指挿入部は、指の挿脱動作及び開いたり狭めたりする動作を円滑に行い得る長孔とすることが望ましい。
【００９１】
＜実施形態３＞
図１１を参照して、本発明を適用した実施形態３に係るコード巻取り装置３について説明する。
【００９２】
ここで、図１１は、フレーム（第１の挟持部材）１０Ｂ、フレーム（第２の挟持部材）２０Ｂが開放された開放状態（開放位置）Ｐ１のコード巻取り装置３を説明する斜視図である。
【００９３】
コード巻取り装置３は、実施形態１のコード巻取り装置１がフレーム１０，２０と別体の連結部３０を備えていたのに対し、連結部３０Ｂがフレーム１０Ｂ，２０Ｂの一部によって構成されている点が異なり、それ以外の構成はほぼ同様である。以下、相違点を主に説明する。
【００９４】
コード巻取り装置３は、第１の挟持部材としてのフレーム１０Ｂ、第２の挟持部材としてのフレーム２０Ｂ、これらフレーム１０Ｂ，２０Ｂの一部によって構成された２箇所の連結部３０Ｂ、及び係止部４０Ｂを備えている。
【００９５】
フレーム１０Ｂは、先端部１２Ｂ、側端部１３Ｂ，１４Ｂによって全体として「Ｕ」字形に形成されており、側端部１３Ｂ，１４Ｂの基端側には、連結部３０Ｂの一部を構成する円板状の台座３０ａが形成されている。この台座３０ａからは、外側に向かって軸部３０ｂが突設されている。
【００９６】
一方、フレーム２０Ｂは、先端部２２Ｂ、側端部２３Ｂ，２４Ｂによって全体として「Ｕ」字形に形成されており、側端部２３Ｂ，２４Ｂの基端側には、連結部３０Ｂの一部を構成する円環状の軸受部３０ｃが形成されている。この軸受部３０ｃは、フレーム１０Ｂ側の軸部３０ｂを回転自在に支持している。これにより、コード巻取り装置３は、フレーム１０Ｂ，２０Ｂが、図１１に示す開放状態Ｐ１と、閉鎖状態（図７参照）とをとることができる。
【００９７】
すなわち、コード巻取り装置３は、フレーム１０Ｂの一部である台座３０ａ及び軸部３０ｂと、フレーム２０Ｂの一部である軸受部３０ｃとによって連結部３０Ｂを構成している。
【００９８】
なお、取付部１７Ｂ，２７Ｂ、係止部４０Ｂについては、実施形態１のコード巻取り装置１の取付部１７，２７、係止部４０Ｂと同様であるので説明は割愛する。
【００９９】
本実施形態のコード巻取り装置３は、実施形態１のコード巻取り装置１の作用、効果に加え、さらに、コード巻取り装置１では、必要であった別体の連結部３０が不要となるため、その分、部品点数を減らして全体構成を簡略化することができる。
【符号の説明】
【０１００】
１      実施形態１のコード巻取り装置
２      実施形態２のコード巻取り装置
３      実施形態３のコード巻取り装置
１０，１０Ａ，１０Ｂ    フレーム（第１の挟持部材）
１７，２７，１７Ａ，２７Ａ，１７Ｂ，２７Ｂ    取付部
２０，２０Ａ，２０Ｂ    フレーム（第２の挟持部材）
３０，３０Ａ，３０Ｂ    連結部
４０，４０Ａ，４０Ｂ    係止部
Ｃ      コード
Ｆ１    親指（第１の指）
Ｆ２    人差指（第２の指）
ＨＬ    左手（一方の手）
ＨＲ    右手（他方の手）
Ｐ１    開放状態
Ｐ２    閉鎖状態
Ｒ１    第１の指挿入部
Ｒ２    第２の指挿入部
Ｔ      ８の字状部
Ｓ１    指挿入工程
Ｓ２    巻付け工程
Ｓ３    押さえ工程
Ｓ４    折り工程
Ｓ５    挟持工程
Ｓ６    指抜き工程
Ｔ１    親指側の周回部
Ｔ２    人差指側の周回部
Ｔ３    交差部
【図１】
2017028579.tif 000003
【図２】
2017028579.tif 000004
【図３】
2017028579.tif 000005
【図４】
2017028579.tif 000006
【図５】
2017028579.tif 000007
【図６】
2017028579.tif 000008
【図７】
2017028579.tif 000009
【図８】
2017028579.tif 000010
【図９】
2017028579.tif 000011
【図１０】
2017028579.tif 000012
【図１１】
2017028579.tif 000013